(57)【要約】【課題】光源ユニットと光源ユニットとの間の隙間を最小限に抑制することができる照明システムを提供する。【解決手段】照明システム５００は、第１ベースユニット１１０と、第１光源ユニット１２０と、第２ベースユニット２１０と、第２光源ユニット２２０と、連結用部品３００とを備える。連結用部品３００は、本体部３２０と、突起部３１０とを有する。突起部３１０は、本体部３２０から外側に突起する。本体部３２０は、第１挿入部３０５ａと、第２挿入部３０５ｂとを有する。第１挿入部３０５ａは、突起部３１０から一方に延びる。第１挿入部３０５ａは、第１ベースユニット１１０に移動自在に挿入可能である。第２挿入部３０５ｂは、突起部３１０から他方に延びる。第２挿入部３０５ｂは、第２ベースユニット２１０に移動自在に挿入可能である。【選択図】図１
2020184493.tif 000002
【特許請求の範囲】
【請求項１】
第１ベースユニットと、
前記第１ベースユニットに取り付けられる第１光源ユニットと、
第２ベースユニットと、
前記第２ベースユニットに取り付けられる第２光源ユニットと、
前記第１ベースユニットと前記第２ベースユニットとを連結可能である連結用部品と
を備え、
前記連結用部品は、
本体部と、
前記本体部から外側に突起する突起部と
を有し、
前記本体部は、
前記突起部から一方に延び、前記第１ベースユニットに移動自在に挿入可能である第１挿入部と、
前記突起部から他方に延び、前記第２ベースユニットに移動自在に挿入可能である第２挿入部と
を有する、照明システム。
【請求項２】
前記第１ベースユニット、前記第１光源ユニット、前記第２ベースユニット、前記第２光源ユニットの各々は、長手方向に沿って延びており、
前記長手方向において、
前記第１ベースユニットの長さは、前記第１光源ユニットの長さよりも短く、
前記第２ベースユニットの長さは、前記第２光源ユニットの長さよりも短い、請求項１に記載の照明システム。
【請求項３】
前記第１ベースユニットと前記第２ベースユニットとの少なくとも一方に貫通孔が形成されており、
前記第１挿入部と前記第２挿入部の少なくとも一方に係合部が形成されており、
前記係合部が前記貫通孔に係合する、請求項１または請求項２に記載の照明システム。
【請求項４】
前記第１ベースユニットおよび前記第２ベースユニットの各々は、長手方向に沿って延びており、
前記貫通孔は、前記長手方向に沿って延びた長孔である、請求項３に記載の照明システム。
【請求項５】
第１光源ユニットが取り付けられる第１ベースユニットと、第２光源ユニットが取り付けられる第２ベースユニットとを連結可能である連結用部品であって、
前記連結用部品は、
本体部と、
前記本体部から外側に突起する突起部と
を有し、
前記本体部は、
前記突起部から一方に延び、前記第１ベースユニットに移動自在に挿入可能である第１挿入部と、
前記突起部から他方に延び、前記第２ベースユニットに移動自在に挿入可能である第２挿入部と
を有する、連結用部品。
【発明の詳細な説明】
【技術分野】
【０００１】
本発明は、照明システムおよび連結用部品に関する。
【背景技術】
【０００２】
特許文献１に記載された照明装置は、長尺状の本体と、長尺状のＬＥＤモジュールとを備える。本体は天井面に取り付けられる。ＬＥＤモジュールは本体に装着される。ＬＥＤモジュールは、長尺状の本体の所定の箇所に取り付けられる。ＬＥＤモジュールは、透光性カバーを有する。
【先行技術文献】
【特許文献】
【０００３】
【特許文献１】特開２０１５−５３２１２号公報
【発明の概要】
【発明が解決しようとする課題】
【０００４】
しかしながら、特許文献１に記載された照明装置を２つ連結させる場合、連結された照明装置と照明装置との間に大きな隙間が生じる可能性がある。詳しくは、例えば、公差によって、本体の長さがＬＥＤモジュールの長さよりも長くなる可能性がある。この場合、ＬＥＤモジュールと、ＬＥＤモジュールとの間に大きな隙間が生じる可能性がある。
【０００５】
本発明は上記課題に鑑みてなされたものであり、その目的は光源ユニットと光源ユニットとの間の隙間を最小限に抑制することができる照明システムおよび連結用部品を提供することにある。
【課題を解決するための手段】
【０００６】
本願に開示する照明システムは、第１ベースユニットと、第１光源ユニットと、第２ベースユニットと、第２光源ユニットと、連結用部品とを備える。前記第１光源ユニットは、前記第１ベースユニットに取り付けられる。前記第２光源ユニットは、前記第２ベースユニットに取り付けられる。前記連結用部品は、前記第１ベースユニットと前記第２ベースユニットとを連結可能である。前記連結用部品は、本体部と、突起部とを有する。前記突起部は、前記本体部から外側に突起する。前記本体部は、第１挿入部と、第２挿入部とを有する。前記第１挿入部は、前記突起部から一方に延びる。前記第１挿入部は、前記第１ベースユニットに移動自在に挿入可能である。前記第２挿入部は、前記突起部から他方に延びる。前記第２挿入部は、前記第２ベースユニットに移動自在に挿入可能である。
【０００７】
本願に開示する照明システムにおいて、前記第１ベースユニット、前記第１光源ユニット、前記第２ベースユニット、前記第２光源ユニットの各々は、長手方向に沿って延びていることが好ましい。前記長手方向において、前記第１ベースユニットの長さは、前記第１光源ユニットの長さよりも短いことが好ましい。前記長手方向において、前記第２ベースユニットの長さは、前記第２光源ユニットの長さよりも短いことが好ましい。
【０００８】
本願に開示する照明システムにおいて、前記第１ベースユニットと前記第２ベースユニットとの少なくとも一方に貫通孔が形成されていることが好ましい。前記第１挿入部と前記第２挿入部の少なくとも一方に係合部が形成されていることが好ましい。前記係合部が前記貫通孔に係合することが好ましい。
【０００９】
本願に開示する照明システムにおいて、前記第１ベースユニットおよび前記第２ベースユニットの各々は、長手方向に沿って延びていることが好ましい。前記貫通孔は、前記長手方向に沿って延びた長孔であることが好ましい。
【００１０】
本願に開示する連結用部品は、第１ベースユニットと、第２ベースユニットとを連結可能である。前記第１ベースユニットは、第１光源ユニットが取り付けられる。前記第２ベースユニットは、第２光源ユニットが取り付けられる。前記連結用部品は、本体部と、突起部とを有する。前記突起部は、前記本体部から外側に突起する。前記本体部は、第１挿入部と、第２挿入部とを有する。前記第１挿入部は、前記突起部から一方に延びる。前記第１挿入部は、前記第１ベースユニットに移動自在に挿入可能である。前記第２挿入部は、前記突起部から他方に延びる。前記第２挿入部は、前記第２ベースユニットに移動自在に挿入可能である。
【発明の効果】
【００１１】
光源ユニットと光源ユニットとの間の隙間を最小限に抑制することができる。
【図面の簡単な説明】
【００１２】
【図１】照明システムの斜視図である。
【図２】照明器具を示す分解斜視図である。
【図３】（ａ）および（ｂ）は、連結用部品の斜視図である。
【図４】（ａ）は、連結用部品の断面図である。（ｂ）は、連結用部品の断面図である。
【図５】ベースユニットと、ベースユニットと、連結用部品との斜視図である。
【図６】照明器具の断面図である。
【図７】（ａ）および（ｂ）は、光源ユニット閉塞部材の斜視図である。
【図８】（ａ）は、光源ユニット閉塞部材の側面図である。（ｂ）は、光源ユニット閉塞部材の正面図である。
【図９】（ａ）および（ｂ）は、ベースユニット閉塞部材の斜視図である。
【図１０】（ａ）は、ベースユニット閉塞部材の断面図である。（ｂ）は、ベースユニット閉塞部材の断面図である。
【図１１】（ａ）は、ベースユニットの端部の斜視図である。（ｂ）および（ｃ）は、ベースユニットと、ベースユニットと、連結用部品との模式的な下面図である。
【図１２】（ａ）は照明システムの側面図である。（ｂ）は、図１２（ａ）のＸＩＩＢ−ＸＩＩＢ線に沿った断面図である。
【図１３】本実施形態に係る照明システムの連結用部品近傍の断面を示す図である。
【発明を実施するための形態】
【００１３】
以下、本発明の実施形態について、図面を参照しながら説明する。なお、図中、同一または相当部分については同一の参照符号を付して説明を繰り返さない。また、図中、理解の容易のため、三次元直交座標系のＸ軸、Ｙ軸、およびＺ軸を適宜記載している。Ｘ軸およびＹ軸は水平方向に平行であり、Ｚ軸は鉛直方向に平行である。Ｚ軸の正方向は鉛直上方向を示し、Ｚ軸の負方向は鉛直下方向を示す。
【００１４】
次に、図１を参照して、本発明の実施形態に係る照明システム５００を説明する。図１は、照明システム５００の斜視図である。
【００１５】
図１に示すように、照明システム５００は、照明器具１００と、照明器具２００と、光源ユニット閉塞部材１３０と、光源ユニット閉塞部材２３０と、ベースユニット閉塞部材１４０と、ベースユニット閉塞部材２４０と、連結用部品３００とを備える。
【００１６】
図１に示すように、照明器具１００は光を出射する。照明器具１００は、長手方向ＰＤに沿って延びている。本実施形態では、長手方向ＰＤは、Ｙ軸に略平行であり、照明器具１００の長手方向を示す。照明器具１００は、ベースユニット１１０と、光源ユニット１２０とを有する。なお、ベースユニット１１０は、「第１ベースユニット」の一例に相当する。また、光源ユニット１２０は、「第１光源ユニット」の一例に相当する。
【００１７】
ベースユニット１１０は長手方向ＰＤに沿って延びている。ベースユニット１１０は、直接または間接的に取付対象物に取り付けられる。取付対象物は、例えば、建造物のような構造物の取付部である。取付部は、例えば、天井面である。ベースユニット１１０は、筐体１５２を有する。
【００１８】
光源ユニット１２０はベースユニット１１０に取り付けられる。光源ユニット１２０は、長手方向ＰＤに沿って延びている。本実施形態では、光源ユニット１２０が光を出射する。光源ユニット１２０は、カバー部材１５４を有する。
【００１９】
照明器具２００は光を出射する。照明器具２００は、長手方向ＰＤに沿って延びている。本実施形態では、長手方向ＰＤは、Ｙ軸に略平行であり、照明器具２００の長手方向を示す。照明器具２００は、ベースユニット２１０と、光源ユニット２２０とを有する。なお、ベースユニット２１０は、「第２ベースユニット」の一例に相当する。また、光源ユニット２２０は、「第２光源ユニット」の一例に相当する。
【００２０】
ベースユニット２１０は長手方向ＰＤに沿って延びている。ベースユニット２１０は、直接または間接的に取付対象物に取り付けられる。取付対象物は、例えば、建造物のような構造物の取付部である。取付部は、例えば、天井面である。ベースユニット２１０は、筐体２５２を有する。
【００２１】
光源ユニット２２０はベースユニット２１０に取り付けられる。光源ユニット２２０は、長手方向ＰＤに沿って延びている。本実施形態では、光源ユニット２２０が光を出射する。光源ユニット２２０は、カバー部材２５４を有する。
【００２２】
連結用部品３００は、ベースユニット１１０とベースユニット２１０とを連結する。連結用部品３００については、図３〜図６を参照して後述する。
【００２３】
図２を参照して、照明器具１００についてさらに説明する。図２は、照明器具１００を示す分解斜視図である。
【００２４】
図２に示すように、光源ユニット１２０は、カバー部材１５４に加えて、発光部１６０と、電源部１７０と、複数の取付バネ１８０と、保持部１８５と、ベース部材１９０とをさらに有する。また、光源ユニット１２０は、第１対向部材７ａと、第２対向部材７ｂとをさらに有する。
【００２５】
カバー部材１５４は、長手方向ＰＤに沿って延びており、発光部１６０を覆う。カバー部材１５４の内部は空洞である。カバー部材１５４は、発光部１６０およびベース部材１９０を収容する。カバー部材１５４は、例えば、合成樹脂製である。カバー部材１５４は、例えば、発光部１６０が出射した光を拡散する。カバー部材１５４は、例えば、白色半透明であってもよい。カバー部材１５４は、例えば、光拡散材料を含有した樹脂を成形することによって形成してもよいし、透明材料で成形した後に表面に光拡散処理（微小凹凸形成処理、透光白色塗装を含む）を施して形成してもよい。カバー部材１５４は、例えば、断面視略Ｕ字形状を有する。
【００２６】
発光部１６０は、長手方向ＰＤに沿って延びており、光を出射する。発光部１６０は、例えば、ＬＥＤ（Ｌｉｇｈｔ  Ｅｍｉｔｔｉｎｇ  Ｄｉｏｄｅ）モジュールである。具体的には、発光部１６０は、２つの基板１６４と、複数の発光素子１６６とを含む。２つの基板１６４は、長手方向ＰＤに沿って並んでいる。発光部１６０の基板１６４の枚数は一例である。基板１６４は、長手方向ＰＤに沿って延びている。複数の発光素子１６６は基板１６４の実装面Ａ１に実装される。複数の発光素子１６６は、例えば、一直線上に配列される。発光素子１６６の各々は、発光し、例えば、ＬＥＤである。複数の発光素子１６６は、発光面がカバー部材１５４の内面に対向し、カバー部材１５４の内面に向かって光を出射する。その結果、光は、カバー部材１５４を通して、照明器具１００の外部に出射する。なお、単数の発光素子１６６を設けてもよい。
【００２７】
ベース部材１９０は、略長尺状であり、長手方向ＰＤに沿って延びている。ベース部材１９０は、例えば、金属製（例えば、アルミニウム製）である。ベース部材１９０は、例えば、押し出し成形方法を用いて成形され、長手方向ＰＤの一端から他端まで断面形状が一定である。ベース部材１９０には、発光部１６０が取り付けられる。具体的には、ベース部材１９０は、略平坦な第１面部Ｂ１と、第１面部Ｂ１に対向する第２面部Ｂ２とを有する。そして、第１面部Ｂ１と基板１６４の対向面Ａ２とが対向するように、発光部１６０がベース部材１９０に取り付けられる。
【００２８】
複数の保持部１８５は、互いに間隔をあけてベースユニット１１０の筐体１５２に取り付けられる。
【００２９】
複数の取付バネ１８０は、互いに間隔をあけてベース部材１９０に取り付けられる。具体的には、取付バネ１８０は、ベース部材１９０の第２面部Ｂ２に取り付けられる。複数の保持部１８５は、対応する複数の取付バネ１８０と長手方向ＰＤにおいて同じ位置に位置する。複数の取付バネ１８０によって、光源ユニット１２０がベースユニット１１０に取り付けられる。例えば、取付バネ１８０の各々は、弾性を有し、金属製（例えば、ステンレス製）である。そして、複数の取付バネ１８０を対応する複数の保持部１８５に嵌め込むと、複数の取付バネ１８０の弾性によって、光源ユニット１２０がベースユニット１１０に取り付けられる。なお、取付バネ１８０のＸ軸方向の寸法は、光源ユニット１２０をベースユニット１１０に取り付ける際に、ベースユニット１１０の開口を取付バネ１８０が通過可能な寸法であればよい。なお、取付バネ１８０に弾性がなく、保持部１８５側に弾性を持たせてもよい。あるいは、取付バネ１８０と保持部１８５の両方に弾性を持たせてもよい。
【００３０】
電源部１７０は、端子台１７１と、電源１７２とを有する。端子台１７１と、電源１７２とは、ベース部材１９０に取り付けられる。具体的には、端子台１７１と、電源１７２とは、ベース部材１９０の第２面部Ｂ２に取り付けられる。電源１７２は、内部電力線１４（図１２）を介して端子台１７１と接続している。外部電力線（図示せず）を伝送する交流電圧は、端子台１７１を介して内部電力線１４（図１２）に通電される。内部電力線１４（図１２）は、交流電圧を電源１７２に伝送する。電源１７２は、交流電圧から、発光素子１６６を発光させる電力を生成する。本実施形態の電源１７２は、交流電圧から、発光素子１６６を発光させる直流電圧を生成する。
【００３１】
光源ユニット閉塞部材１３０は、例えば、エンドキャップである。一対の光源ユニット閉塞部材１３０は、それぞれ、光源ユニット１２０の長手方向ＰＤの一対の端部に取り付けられる。詳しくは、一対の光源ユニット閉塞部材１３０は、それぞれ、カバー部材１５４の長手方向ＰＤの一対の端部に取り付けられる。例えば、光源ユニット閉塞部材１３０は、固定部材によって、光源ユニット１２０の長手方向ＰＤの端部に取り付けられる。固定部材は、例えば、ビスである。そして、一対の光源ユニット閉塞部材１３０は、それぞれ、光源ユニット１２０の長手方向ＰＤの一対の開放端４を閉塞する。詳しくは、一対の光源ユニット閉塞部材１３０は、それぞれ、カバー部材１５４の長手方向ＰＤの一対の開放端４を閉塞する。カバー部材１５４の長手方向ＰＤは、Ｙ軸に略平行である。
【００３２】
ベースユニット１１０は、筐体１５２を有する。筐体１５２は、長手方向ＰＤに沿って延びており、断面視略Ｕ字形状を有する。筐体１５２は、例えば、金属製である。ベースユニット１１０は、例えば、押し出し成形方法を用いて成形され、長手方向ＰＤの一端から他端まで断面形状が一定である。ベースユニット閉塞部材１４０は、筐体１５２の長手方向ＰＤの−Ｙ側方向の端部に嵌められる。そして、ベースユニット閉塞部材１４０は、筐体１５２の長手方向ＰＤの−Ｙ側方向の開放端５を閉塞する。ベースユニット閉塞部材１４０は、例えば、平面視略矩形形状を有する。筐体１５２の長手方向ＰＤは、Ｙ軸に略平行である。
【００３３】
ベースユニット閉塞部材１４０は、例えば、エンドキャップである。ベースユニット閉塞部材１４０は、筐体１５２の長手方向ＰＤの−Ｙ側方向の端部に取り付けられる。例えば、ベースユニット閉塞部材１４０は、ベース部材１９０の長手方向ＰＤの−Ｙ側方向の端部に取り付けられる。そして、ベースユニット閉塞部材１４０は、それぞれ、筐体１５２の長手方向ＰＤの−Ｙ側方向の開放端５を閉塞する。筐体１５２の長手方向ＰＤは、Ｙ軸に略平行である。
【００３４】
第１対向部材７ａは、ガイド部７２１を有する。第２対向部材７ｂは、ガイド部７２１を有する。
【００３５】
長手方向ＰＤにおいて、ベースユニット１１０の長さは、光源ユニット１２０の長さよりも短い。また、長手方向ＰＤにおいて、ベースユニット２１０の長さは、光源ユニット２２０の長さよりも短い。
【００３６】
照明器具２００は、照明器具１００と同様の構成を有するため説明を省略する。
【００３７】
次に、図３（ａ）〜図４（ｂ）を参照して、連結用部品３００についてさらに説明する。図３（ａ）および図３（ｂ）は、連結用部品３００の斜視図である。図４（ａ）は、連結用部品３００の断面図である。図４（ｂ）は、連結用部品３００の断面図である。
【００３８】
図３（ａ）および図３（ｂ）に示すように、連結用部品３００は、突起部３１０と、本体部３２０とを有する。突起部３１０は、本体部３２０から外側に突起する。詳しくは、突起部３１０は、本体部３２０からＸ軸方向に沿って突起している。突起部３１０は、ベースユニット１１０およびベースユニット２１０の連結時に、ベースユニット１１０およびベースユニット２１０に対する連結用部品３００の長手方向ＰＤの位置決めを行う。また、突起部３１０の外形寸法（Ｘ軸方向の突出量）は、ベースユニット１１０およびベースユニット２１０の内面の寸法よりも大きい。
【００３９】
本体部３２０は、第１挿入部３０５ａと、第２挿入部３０５ｂと、ガイド部３４６とを有する。
【００４０】
第１挿入部３０５ａは、突起部３１０から一方に延びている。詳しくは、第１挿入部３０５ａは、突起部３１０から−Ｙ側方向に延びている。第１挿入部３０５ａは、ベースユニット１１０に移動自在に挿入可能である。第１挿入部３０５ａは、一対の第１側部３２２ａと、第１底部３４８ａと、一対の第１位置決め部３５０とを有する。
【００４１】
一対の第１側部３２２ａは、突起部３１０に接続する。一対の第１側部３２２ａの各々は、Ｙ軸方向に沿って延びている。詳しくは、一対の第１側部３２２ａの各々は、突起部３１０から−Ｙ側方向に延びている。
【００４２】
第１底部３４８ａは、突起部３１０に接続する。第１底部３４８ａは、Ｙ軸方向に沿って延びている。詳しくは、第１底部３４８ａは、突起部３１０から−Ｙ側方向に延びている。
【００４３】
第１位置決め部３５０は、光源ユニット１２０をベースユニット１１０に取り付ける際に、図１を参照して説明した第１対向部材７ａのガイド部７２１を位置決めする。第１位置決め部３５０は、一対の第１側部３２２ａに設けられる。また、第１位置決め部３５０は、Ｚ軸方向に延びる第１柱部３５１および第２柱部３５２を有する。第１柱部３５１および第２柱部３５２は、Ｙ軸方向において対向する。本実施形態において、第１柱部３５１および第２柱部３５２は一対の第１側部３２２ａに設けられる。図１を参照して説明した第１対向部材７ａのガイド部７２１は、光源ユニット１２０をベースユニット１１０に取り付ける際に、第１柱部３５１および第２柱部３５２の間に位置決めされる。
【００４４】
第２挿入部３０５ｂは、突起部３１０から他方に延びている。詳しくは、第１挿入部３０５ａは、突起部３１０から＋Ｙ側方向に延びている。第２挿入部３０５ｂは、ベースユニット２１０に移動自在に挿入可能である。第２挿入部３０５ｂは、一対の第２側部３２２ｂと、第２底部３４８ｂと、一対の第２位置決め部３６０とを有する。
【００４５】
一対の第２側部３２２ｂは、突起部３１０に接続する。一対の第２側部３２２ｂの各々は、Ｙ軸方向に沿って延びている。詳しくは、一対の第２側部３２２ｂの各々は、突起部３１０から＋Ｙ側方向に延びている。
【００４６】
第２底部３４８ｂは、突起部３１０に接続する。第２底部３４８ｂは、Ｙ軸方向に沿って延びている。詳しくは、第２底部３４８ｂは、突起部３１０から＋Ｙ側方向に延びている。
【００４７】
第２位置決め部３６０は、光源ユニット２２０をベースユニット２１０に取り付ける際に、図１を参照して説明した第２対向部材７ｂのガイド部７２１を位置決めする。第２位置決め部３６０は、一対の第２側部３２２ｂに設けられる。また、第２位置決め部３６０は、Ｚ軸方向に延びる第１柱部３６１および第２柱部３６２を有する。第１柱部３６１および第２柱部３６２は、Ｙ軸方向において対向する。本実施形態において、第１柱部３６１および第２柱部３６２は一対の第２側部３２２ｂに設けられる。図１を参照して説明した第２対向部材７ｂのガイド部７２１は、光源ユニット２２０をベースユニット２１０に取り付ける際に、第１柱部３６１および第２柱部３６２の間に位置決めされる。
【００４８】
ガイド部３４６は、一対の第１側部３２２ａおよび一対の第２側部３２２ｂに設けられる。ガイド部３４６は、一対の第１側部３２２ａおよび一対の第２側部３２２ｂから突出する。ガイド部３４６は、一対のガイド面３４６２ａおよび一対のガイド面３４６２ｂを有する。一対のガイド面３４６２ａは互いに平行に延びている。詳しくは、ガイド面３４６２ａは、ＹＺ平面に略平行に延びている。同様に、一対のガイド面３４６２ｂは互いに平行に延びている。詳しくは、ガイド面３４６２ｂは、ＹＺ平面に略平行に延びている。本明細書において、ガイド面３４６２ａおよびガイド面３４６２ｂを、「ガイド面３４６２」と総称する場合がある。
【００４９】
第１挿入部３０５ａと、第２挿入部３０５ｂとの少なくとも一方に係合部３３０が形成されている。本実施形態では、係合部３３０は、第１挿入部３０５ａに形成されている。詳しくは、係合部３３０は、第１底部３４８ａに形成されている。係合部３３０の厚さは、第１底部３４８ａの厚さよりも厚い。係合部３３０は、第１底部３４８ａよりも＋Ｚ側に突出している。係合部３３０は、Ｚ軸方向へ可動する。係合部３３０は、貫通孔に係合する。貫通孔は、ベースユニット１１０とベースユニット２１０との少なくとも一方に形成されている。係合部３３０の貫通孔への係合については、図１１を参照して後述する。
【００５０】
図３（ｂ）に示すように、連結用部品３００は、収容空間Ｓ１を有する。収容空間Ｓ１は、一対の第１側部３２２ａと、第１底部３４８ａと、一対の第２側部３２２ｂと、第２底部３４８ｂとによって区画される空間である。
【００５１】
図４（ａ）に示すように、第１柱部３５１の先端部は、傾斜面３５１ｓを有する。傾斜面３５１ｓは、第１柱部３５１の−Ｙ側方向の側面に形成される。したがって、傾斜面３５１ｓは、第２柱部３５２と対向する。同様に、第２柱部３５２の先端部は、傾斜面３５２ｓを有する。傾斜面３５２ｓは、第２柱部３５２の＋Ｙ側方向の側面に形成される。したがって、傾斜面３５２ｓは、第１柱部３５１と対向する。
【００５２】
第１柱部３５１が傾斜面３５１ｓを有し、第２柱部３５２が傾斜面３５２ｓを有することにより、光源ユニット１２０をベースユニット１１０に取り付ける際に、第１柱部３５１の傾斜面３５１ｓおよび第２柱部３５２の傾斜面３５２ｓによって、図１を参照して説明した第１対向部材７ａのガイド部７２１が第１柱部３５１および第２柱部３５２の間に案内される。したがって、第１対向部材７ａを、連結用部品３００の収容空間Ｓ１に容易に収容することができる。その結果、光源ユニット１２０をベースユニット１１０に取り付ける作業が容易となる。
【００５３】
同様に、第１柱部３６１の先端部は、傾斜面３６１ｓを有する。傾斜面３６１ｓは、第１柱部３６１の＋Ｙ側方向の側面に形成される。したがって、傾斜面３６１ｓは、第２柱部３６２と対向する。同様に、第２柱部３６２の先端部は、傾斜面３６２ｓを有する。傾斜面３６２ｓは、第２柱部３６２の−Ｙ側方向の側面に形成される。したがって、傾斜面３６２ｓは、第１柱部３６１と対向する。
【００５４】
第１柱部３６１が傾斜面３６１ｓを有し、第２柱部３６２が傾斜面３６２ｓを有することにより、光源ユニット２２０をベースユニット２１０に取り付ける際に、第１柱部３６１の傾斜面３６１ｓおよび第２柱部３６２の傾斜面３６２ｓによって、図１を参照して説明した第２対向部材７ｂのガイド部７２１が第１柱部３６１および第２柱部３６２の間に案内される。したがって、第２対向部材７ｂを、連結用部品３００の収容空間Ｓ１に容易に収容することができる。その結果、光源ユニット２２０をベースユニット２１０に取り付ける作業が容易となる。
【００５５】
図４（ａ）および図４（ｂ）に示すように、ガイド面３４６２のＺ軸方向に沿った長さは、第１側部３２２ａおよび第２側部３２２ｂのＺ軸方向に沿った長さよりも短い。
【００５６】
次に、図５および図６を参照して、ベースユニット１１０とベースユニット２１０との連結について説明する。図５は、ベースユニット１１０と、ベースユニット２１０と、連結用部品３００との斜視図である。図６は、照明器具１００の断面図である。
【００５７】
図５および図６に示すように、ベースユニット１１０の筐体１５２には、一対の溝１１２が形成されている。同様に、ベースユニット２１０の筐体２５２には、一対の溝２１２が形成されている。
【００５８】
連結用部品３００によって、ベースユニット１１０とベースユニット２１０とを連結する場合、第１底部３４８ａを一対の溝１１２に挿入する。さらに、第２底部３４８ｂを一対の溝２１２に挿入する。その結果、連結用部品３００によって、ベースユニット１１０とベースユニット２１０とが連結される。ベースユニット１１０とベースユニット２１０とが連結された際、突起部３１０があるため、ベースユニット１１０とベースユニット２１０とが当接しない。すなわち、ベースユニット１１０の位置とベースユニット２１０の位置とが突起部３１０によって規制される。
【００５９】
図１、図２、図７（ａ）〜図８（ｂ）を参照して、光源ユニット閉塞部材１３０についてさらに説明する。図７（ａ）および図７（ｂ）は、光源ユニット閉塞部材１３０の斜視図である。図８（ａ）は、光源ユニット閉塞部材１３０の側面図である。図８（ｂ）は、光源ユニット閉塞部材１３０の正面図である。
【００６０】
図７（ａ）および図７（ｂ）に示すように、光源ユニット閉塞部材１３０は、閉塞部１３２と、突出部１３４とを有する。
【００６１】
閉塞部１３２は、光源ユニット１２０の開放端４を閉塞する。閉塞部１３２は、矩形状である。閉塞部１３２は、例えば、合成樹脂製である。閉塞部１３２は、発光部１６０が出射した光を拡散可能である。なお、閉塞部１３２の光の拡散率は、カバー部材１５４の光の拡散率とほぼ同じであることが好ましい。閉塞部１３２の光の拡散率を、カバー部材１５４の光の拡散率とほぼ同じにすることによって、閉塞部１３２とカバー部材１５４との一体感を得ることができる。なお、閉塞部１３２の光の拡散率は、カバー部材１５４の光の拡散率と異なっていてもよい。
【００６２】
閉塞部１３２は、例えば、白色半透明である。閉塞部１３２の色は、カバー部材１５４の色と同じであることが好ましい。閉塞部１３２の色をカバー部材１５４の色と同じにすることによって、閉塞部１３２とカバー部材１５４との一体感を得ることができる。なお、閉塞部１３２の色は、カバー部材１５４の色と異なっていてもよい。
【００６３】
閉塞部１３２は、例えば、光拡散材料を含有した樹脂を成形することによって形成してもよい。閉塞部１３２は、透明材料で成形した後に表面または裏面に光拡散処理（透光白色塗装を含む）を施して形成してもよい。
【００６４】
閉塞部１３２の正面視における外形の寸法は、カバー部材１５４の開放端４の外形寸法と略同一であることが好ましい。したがって、閉塞部１３２とカバー部材１５４との間に段差が生じることを抑制することができる。その結果、閉塞部１３２とカバー部材１５４との一体感を得ることができる。
【００６５】
突出部１３４は、閉塞部１３２よりもベースユニット１１０側に突出する。突出部１３４は、接続面１３４２と、一対の側面１３４４とを有する。
【００６６】
接続面１３４２は、閉塞部１３２に接続する。一対の側面１３４４の各々は、接続面１３４２の両端に接続する。詳しくは、一対の側面１３４４の各々は、接続面１３４２のＸ軸方向における端部と接続する。一対の側面１３４４は、互いに平行に延びている。詳しくは、一対の側面１３４４の各々は、ＹＺ平面に略平行に延びている。
【００６７】
図７（ａ）〜図８（ｂ）に示すように、閉塞部１３２は、挿入部１３２２と、露出部１３２４とを有する。
【００６８】
挿入部１３２２の外形の大きさは、カバー部材１５４の内面によって規定される領域の大きさと略等しい。したがって、挿入部１３２２は、光源ユニット１２０の内側に挿入される。挿入部１３２２がカバー部材１５４の内側に挿入されることによって、閉塞部１３２がカバー部材１５４に対して位置決めされる。露出部１３２４は、光源ユニット１２０の外側に位置する。一対の側面１３４４の各々は、露出部１３２４よりも内側に位置する。
【００６９】
図８（ｂ）に示すように、Ｙ軸方向からみたときの閉塞部１３２の形状は、例えば、矩形状である。本実施形態では、Ｙ軸方向からみたときの閉塞部１３２の形状は、正方形状である。すなわち、閉塞部１３２のＸ軸方向に沿った長さと、閉塞部１３２のＺ軸方向に沿った長さとは、略等しい。接続面１３４２のＸ軸方向に沿った長さは、閉塞部１３２のＸ軸方向に沿った長さよりも短い。
【００７０】
なお、光源ユニット閉塞部材２３０は、光源ユニット閉塞部材１３０と同様の構成を有するため説明を省略する。光源ユニット閉塞部材２３０は、閉塞部２３２と、突出部２３４とを有する。
【００７１】
次に、図１、図２および図９（ａ）〜図１０（ｂ）を参照して、ベースユニット閉塞部材１４０についてさらに説明する。図９（ａ）および図９（ｂ）は、ベースユニット閉塞部材１４０の斜視図である。図１０（ａ）は、ベースユニット閉塞部材１４０の断面図である。図１０（ｂ）は、ベースユニット閉塞部材１４０の断面図である。
【００７２】
図９（ａ）および図９（ｂ）に示すように、ベースユニット閉塞部材１４０は、閉塞部１４２と、一対の側部１４４と、ガイド部１４６と、底部１４８とを有する。
【００７３】
閉塞部１４２は、ベースユニット１１０の開放端５（図２参照）を閉塞する。閉塞部１４２は、矩形状である。
【００７４】
一対の側部１４４は、閉塞部１４２に接続する。一対の側部１４４の各々は、Ｙ軸方向に沿って延びている。一対の側部１４４は、閉塞部１４２のＸ軸方向の端部から＋Ｙ側方向に延びている。
【００７５】
ガイド部１４６は、一対の側部１４４に設けられる。ガイド部１４６は、側部１４４から突出する。ガイド部１４６は、一対のガイド面１４６２を有する。一対のガイド面１４６２は互いに平行に延びている。詳しくは、ガイド面１４６２は、ＹＺ平面に略平行に延びている。
【００７６】
底部１４８は、閉塞部１４２に接続する。底部１４８は、Ｙ軸方向に沿って延びている。
【００７７】
図１０（ａ）および図１０（ｂ）に示すように、ガイド面１４６２のＺ軸方向に沿った長さは、側部１４４のＺ軸方向に沿った長さよりも短い。
【００７８】
なお、ベースユニット閉塞部材２４０は、ベースユニット閉塞部材１４０と同様の構成を有するため説明を省略する。
【００７９】
図１、図２および図１１（ａ）〜図１１（ｃ）を参照して、係合部３３０の貫通孔１５６への係合について説明する。図１１（ａ）は、ベースユニット１１０の端部の斜視図である。図１１（ｂ）および図１１（ｃ）は、ベースユニット１１０と、ベースユニット２１０と、連結用部品３００との模式的な下面図である。
【００８０】
ベースユニット１１０とベースユニット２１０との少なくとも一方に貫通孔１５６が形成されていることが好ましい。図１１（ａ）に示すように、本実施形態では、貫通孔１５６は、ベースユニット１１０の筐体１５２に形成されている。貫通孔１５６は、長手方向ＰＤに沿って延びた長孔である。連結用部品３００がＹ軸方向にスライドすることによって、係合部３３０が貫通孔１５６の位置まで来ると、係合部３３０がＺ軸方向に可動し、係合部３３０が貫通孔１５６に係合する。
【００８１】
図１１（ｂ）および図１１（ｃ）に示すように、係合部３３０の貫通孔１５６への係合する位置を変更可能である。
【００８２】
例えば、図１１（ａ）に示すように、係合部３３０の貫通孔１５６への係合する位置を、貫通孔１５６の−Ｙ側方向よりに位置させることができる。その結果、ベースユニット２１０の端部をベースユニット１１０の端部に最も寄せてベースユニット２１０を配置させることができる。
【００８３】
また、例えば、図１１（ｂ）に示すように、係合部３３０の貫通孔１５６への係合する位置を、貫通孔１５６の＋Ｙ側方向よりに位置させることができる。その結果、ベースユニット２１０の端部をベースユニット１１０の端部から最も離してベースユニット２１０を配置させることができる。
【００８４】
このように、係合部３３０の貫通孔１５６への係合する位置を変更することができる。したがって、長手方向ＰＤ（Ｙ軸方向）において、ベースユニット１１０とベースユニット２１０との合計の長さを変更することができる。
【００８５】
図１、図２および図１２（ａ）および図１２（ｂ）を参照して、ベースユニット１１０への光源ユニット１２０の取り付けについて説明する。図１２（ａ）は、照明システム５００の側面図である。図１２（ｂ）は、図１２（ａ）のＸＩＩＢ−ＸＩＩＢ線に沿った断面図である。詳しくは、取付バネ１８０と保持部１８５とが位置する箇所の断面図である。
【００８６】
図１２（ａ）に示すように、ベースユニット１１０とベースユニット２１０とは、連結用部品３００によって連結される。
【００８７】
図１２（ｂ）に示すように、取付バネ１８０は、一対の弾性部１８０ａを有する。弾性部１８０ａの各々は、湾曲しており、弾性を有する。そして、一対の弾性部１８０ａは、保持部１８５の内部に嵌まる。したがって、一対の弾性部１８０ａは、保持部１８５によって保持される。そして、一対の弾性部１８０ａは弾性を有するため、弾性部１８０ａから保持部１８５に向かって付勢力が作用する。その結果、光源ユニット１２０が、ベースユニット１１０に取り付けられる。
【００８８】
ベース部材１９０は、溝２３を有する。本実施形態のベース部材１９０は、２本の溝２３を有する。溝２３は、ベース部材１９０の上面に、ベース部材１９０の長手方向ＰＤにおける一端から他端にわたって形成される。溝２３に、内部電力線１４が収納される。
【００８９】
端子台１７１（図２）は、溝２３の一部に重なるようにベース部材１９０の上面に配置される。その結果、溝２３に収納された内部電力線１４が溝２３から離脱し難くなる。また、内部電力線１４が溝２３から離脱し難くなることから、光源ユニット１２０をベースユニット１１０に取り付ける際に、撓んだ内部電力線１４が光源ユニット１２０とベースユニット１１０との間に挟まれ難くなる。同様に、内部電力線１４が溝２３から離脱し難くなることから、光源ユニット２２０をベースユニット２１０に取り付ける際に、撓んだ内部電力線１４が光源ユニット２２０とベースユニット２１０との間に挟まれ難くなる。
【００９０】
続いて図１３を参照して、第１対向部材７ａのガイド部７２１、第２対向部材７ｂのガイド部７２１、第１位置決め部３５０および第２位置決め部３６０について説明する。図１３は、本実施形態に係る照明システム５００の連結用部品３００近傍の断面を示す図である。なお、図１３において、図面簡略化のため、一部の部材は省略している。
【００９１】
図１３に示すように、第１対向部材７ａのガイド部７２１は、光源ユニット１２０をベースユニット１１０に取り付ける際に、第１柱部３５１および第２柱部３５２の間に位置決めされる。詳しくは、第１対向部材７ａのガイド部７２１の最大幅Ｌ１は、長手方向ＰＤにおける第１柱部３５１と第２柱部３５２との間隔にほぼ等しいか僅かに小さい。したがって、第１対向部材７ａのガイド部７２１は、第１柱部３５１および第２柱部３５２によって位置決めされる。その結果、ベースユニット１１０に対する、光源ユニット１２０の位置が固定される。また、ベースユニット１１０に対して、光源ユニット閉塞部材１３０の閉塞部１３２の位置が決まる。
【００９２】
同様に、第２対向部材７ｂのガイド部７２１は、光源ユニット２２０をベースユニット２１０に取り付ける際に、第１柱部３６１および第２柱部３６２の間に位置決めされる。詳しくは、第２対向部材７ｂのガイド部７２１の最大幅Ｌ２は、長手方向ＰＤにおける第１柱部３６１と第２柱部３６２との間隔にほぼ等しいか僅かに小さい。したがって、第２対向部材７ｂのガイド部７２１は、第１柱部３６１および第２柱部３６２によって位置決めされる。その結果、ベースユニット２１０に対する、光源ユニット２２０の位置が固定される。また、ベースユニット２１０に対して、光源ユニット閉塞部材２３０の閉塞部２３２の位置が決まる。
【００９３】
このように、照明システム５００において、第１対向部材７ａのガイド部７２１によってベースユニット１１０に対する、光源ユニット１２０の位置が固定される。したがって、ベースユニット１１０に対する、光源ユニット１２０の位置ずれが抑制される。また、第２対向部材７ｂのガイド部７２１によってベースユニット２１０に対する、光源ユニット２２０の位置が固定される。したがって、ベースユニット２１０に対する、光源ユニット２２０の位置ずれが抑制される。その結果、照明システム５００の連結部分において、光源ユニット１２０の端部（＋Ｙ側方向端部）と光源ユニット２２０の端部（−Ｙ側方向端部）との間の隙間を極力狭くすることができる。その結果、光源ユニット１２０と光源ユニット２２０との一体感を得ることができる。
【００９４】
また、照明器具１００を３台以上連結して２ヵ所以上の連結部分がある場合、各連結部分における光源ユニット間の隙間のバラツキを抑えることができる。すなわち、光源ユニット間の隙間（閉塞部１３２間の隙間）が最小限の状態で一定となる。したがって、例えば、３台以上の照明器具１００を直線状に並べて配置した場合に、光源ユニット間の隙間による光の途切れが目立ちにくくなり、光の連続性を高めることができる。
【００９５】
続いて、図１３を参照して、第１対向部材７ａのガイド部７２１をさらに説明する。図１３に示すように、第１対向部材７ａのガイド部７２１の上部７２１ａは側面視三角形状である。したがって、光源ユニット１２０をベースユニット１１０に取り付ける際に、第１対向部材７ａのガイド部７２１が第１柱部３５１および第２柱部３５２に干渉し難い。その結果、光源ユニット１２０をベースユニット１１０に取り付ける作業が容易となる。
【００９６】
同様に、第２対向部材７ｂのガイド部７２１の上部７２１ａは側面視三角形状である。したがって、光源ユニット２２０をベースユニット２１０に取り付ける際に、第２対向部材７ｂのガイド部７２１が第１柱部３６１および第２柱部３６２に干渉し難い。その結果、光源ユニット２２０をベースユニット２１０に取り付ける作業が容易となる。
【００９７】
以上、図１〜図１３を参照して説明したように、照明システム５００において、本体部３２０は、第１挿入部３０５ａと、第２挿入部３０５ｂとを有する。第１挿入部３０５ａは、突起部３１０から一方（−Ｙ側方向）に延びる。第１挿入部３０５ａは、第１ベースユニット（ベースユニット１１０）に移動自在に挿入可能である。第２挿入部３０５ｂは、突起部３１０から他方（＋Ｙ側方向）に延びる。第２挿入部３０５ｂは、第２ベースユニット（ベースユニット２１０）に移動自在に挿入可能である、したがって、第１光源ユニット（光源ユニット１２０）と、第２光源ユニット（光源ユニット２２０）との間の隙間を最小限に抑制することができる。
【００９８】
また、第１挿入部３０５ａをベースユニット１１０に挿入し、第２挿入部３０５ｂをベースユニット２１０に挿入することによって、複数の照明器具を連結して天井面のような取付部に施工する際に、ベースユニット１１０およびベースユニット２１０を仮掛けすることができる。具体的には、作業者は、例えば、ベースユニット１１０を天井面にビスで固定した後、ベースユニット１１０に第１挿入部３０５ａを挿入して、連結用部品３００をベースユニット１１０に保持する。次に、作業者は、ベースユニット２１０の一方の端部に連結用部品３００の第２挿入部３０５ｂを挿入し、ベースユニット２１０を連結用部品３００に対して仮掛け状態にする。次に、作業者は、ベースユニット２１０の他方の端部側を片手で支えながら、もう一方の手でベースユニット２１０を天井面にビスで固定する。したがって、照明器具の施工性が向上する。長手方向の寸法が長い照明器具において、作業者が一人で施工作業を行うことができるため、特に有用である。
【００９９】
以上、図面（図１〜図１３）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【０１００】
１００      照明器具
１１０      ベースユニット（第１ベースユニット）
１２０      光源ユニット（第１光源ユニット）
１５６      貫通孔
２１０      ベースユニット（第２ベースユニット）
２２０      光源ユニット（第２光源ユニット）
３００      連結用部品
３０５ａ    第１挿入部
３０５ｂ    第２挿入部
３１０      突起部
３２０      本体部
３３０      係合部
５００      照明システム
ＰＤ        長手方向
【図１】
2020184493.tif 000003
【図２】
2020184493.tif 000004
【図３】
2020184493.tif 000005
【図４】
2020184493.tif 000006
【図５】
2020184493.tif 000007
【図６】
2020184493.tif 000008
【図７】
2020184493.tif 000009
【図８】
2020184493.tif 000010
【図９】
2020184493.tif 000011
【図１０】
2020184493.tif 000012
【図１１】
2020184493.tif 000013
【図１２】
2020184493.tif 000014
【図１３】
2020184493.tif 000015